(57)【要約】【課題】複数の番組表の切り換え表示制御に優れた番組情報出力制御装置を提供すること。【解決手段】実施形態の番組情報出力制御装置は、検出手段と、指示手段と、出力制御手段とを備える。検出手段は、動作状態を検出する。指示手段は、番組表出力を指示する。出力制御手段は、前記動作状態の検出結果及び前記番組表出力の指示に応じて、チャンネル軸と時間軸に沿って複数チャンネルに対応した複数放送番組を表示する第１の番組表を表示するための第１の表示情報、及び前記チャンネル軸と前記時間軸に沿って前記複数チャンネルに対応した複数記録番組を表示する第２の番組表を表示するための第２の表示情報のいずれか一方の表示情報を出力するように制御する。【選択図】図３
2012015796.tif 000002
【特許請求の範囲】
【請求項１】
動作状態を検出する検出手段と、
番組表出力を指示する指示手段と、
前記動作状態の検出結果及び前記番組表出力の指示に応じて、チャンネル軸と時間軸に沿って複数チャンネルに対応した複数放送番組を表示する第１の番組表を表示するための第１の表示情報、及び前記チャンネル軸と前記時間軸に沿って前記複数チャンネルに対応した複数記録番組を表示する第２の番組表を表示するための第２の表示情報のいずれか一方の表示情報を出力するように制御する出力制御手段と、
を備えた番組情報出力制御装置。
【請求項２】
前記検出手段は、放送中番組を出力している第１の状態、及び記録番組を出力している第２の状態を検出可能に構成され、
前記出力制御手段は、前記第１の状態の検出及び前記番組表出力の指示に応じて前記第１の表示情報を出力し、前記第２の状態の検出及び前記番組表出力の指示に応じて前記第２の表示情報を出力するように制御する請求項１に記載の番組情報出力制御装置。
【請求項３】
前記複数チャンネルを同時に受信可能に構成された番組受信手段と、
前記複数チャンネルを同時に記録可能に構成された番組記録手段と、
を備えた請求項１に記載の番組情報出力制御装置。
【請求項４】
前記第１及び第２の表示情報の出力履歴を記憶する記憶手段を備え、
前記出力制御手段は、前記第１及び第２の状態と異なる第３の状態の検出及び前記番組表出力の指示に応じて、前記出力履歴に基づき前記第１及び第２の表示情報のいずれか
一方の表示情報を出力するように制御する請求項１に記載の番組情報出力制御装置。
【請求項５】
前記出力制御手段は、前記第３の状態の検出及び前記番組表出力の指示に応じて、前記出力履歴により直前に前記第１の表示情報が表示されたことが示されている場合には前記第１の表示情報を出力するように制御し、前記出力履歴により直前に前記第２の表示情報が表示されたことが示されている場合には前記第２の表示情報を出力するように制御する請求項４に記載の番組情報出力制御装置。
【請求項６】
前記出力制御手段は、前記指示手段による所定指示に応じて、前記第１の表示情報の出力を前記第２の表示情報の出力へ切り換える請求項１に記載の番組情報出力制御装置。
【請求項７】
前記第１の番組表は、前記複数放送番組に対応した複数放送番組セルを含み、
前記指示手段は、前記複数放送番組セルの中の所定放送番組セルにフォーカスされたカーソルの移動を指示可能に構成され、
前記出力制御手段は、前記第１の表示情報の出力中に、前記指示手段による前記カーソルの過去の時間方向への移動の指示に応じて、前記第１の表示情報の出力を前記第２の表示情報の出力へ切り換える請求項１に記載の番組情報出力制御装置。
【請求項８】
前記第２の番組表は、前記複数記録番組に対応した複数記録番組セルを含み、
前記出力制御手段は、前記第１の表示情報の出力中に、前記指示手段による前記カーソルの過去の時間方向への移動の指示に応じて、前記第１の表示情報の出力を、前記カーソルが前記複数記録番組セルの中の最も新しい時間帯の所定記録番組セルにフォーカスした状態の前記第２の番組表を表示するための前記第２の表示情報の出力へ切り換える請求項７に記載の番組情報出力制御装置。
【請求項９】
前記出力制御手段は、前記指示手段による所定指示に応じて、前記第２の表示情報の出力を前記第１の表示情報の出力へ切り換える請求項１に記載の番組情報出力制御装置。
【請求項１０】
前記第２の番組表は、前記複数記録番組に対応した複数記録番組セルを含み、
前記指示手段は、前記複数記録番組セルの中の所定記録番組セルにフォーカスされたカーソルの移動を指示可能に構成され、
前記出力制御手段は、前記第２の表示情報の出力中に、前記指示手段による前記カーソルの現在又は未来の時間方向への移動の指示に応じて、前記第２の表示情報の出力を前記第１の表示情報の出力へ切り換える請求項１に記載の番組情報出力制御装置。
【請求項１１】
動作状態を検出し、
番組表出力を指示し、
前記動作状態の検出結果及び前記番組表出力の指示に応じて、チャンネル軸と時間軸に沿って複数チャンネルに対応した複数放送番組を表示する第１の番組表を表示するための第１の表示情報、及び前記チャンネル軸と前記時間軸に沿って前記複数チャンネルに対応した複数記録番組を表示する第２の番組表を表示するための第２の表示情報のいずれか一方の表示情報を出力するように制御する番組情報出力制御方法。
【発明の詳細な説明】
【技術分野】
【０００１】
本発明の実施形態は、番組表を表示するための表示情報の出力を制御する番組情報出力制御装置及び番組情報出力制御方法に関する。
【背景技術】
【０００２】
近年、デジタルテレビ放送信号を受信し、受信したデジタルテレビ放送信号に基づく番組を記録したり、再生したりすることが可能なテレビ放送受信装置が普及している。例えば、テレビ放送受信装置は、ＨＤＤ、ＤＶＤ、又はＢＤ（Blu-ray）（登録商標）などを使ってデジタルテレビ放送信号に基づく番組を記録することができる。また、テレビ放送受信装置は、デジタルテレビ放送信号からサービス情報を取得し、このサービス情報に基づき番組表の表示を制御することができる。番組表上には、チャンネル軸と時間軸に沿って複数チャンネルに対応した複数放送番組が表示される。このような番組表は、電子番組案内（ＥＰＧ）と呼ばれている。
【０００３】
さらに、近年、複数チューナを備えた高機能テレビ放送受信装置が登場している。例えば、高機能テレビ放送受信装置は、複数チューナで同時間帯に受信した複数チャンネルに対応した複数番組を記録したり、複数の記録番組の中から選択された記録番組を再生したりすることができる。
【０００４】
さらに、高機能テレビ放送受信装置は、例えば、複数の記録番組を番組表形式で表示することができる。よって、高機能テレビ放送受信装置は、複数チャンネルに対応した複数放送番組を一覧表示するための第１の番組表と、複数チャンネルに対応した複数記録番組を一覧表示するための第２の番組表とを表示することができる。
【先行技術文献】
【特許文献】
【０００５】
【特許文献１】特開２００９−１７２６３号公報
【発明の概要】
【発明が解決しようとする課題】
【０００６】
しかしながら、上記した高機能テレビ放送受信装置は、ユーザのニーズに合った第１の番組表と第２の番組表との切り換え表示ができない。例えば、高機能テレビ放送受信装置が、所定番組を表示している状態で、第１の番組表表示キーを介して第１の番組表の表示指示を受け付けると、第１の番組表を表示する。また、高機能テレビ放送受信装置が、所定番組を表示している状態で、第２の番組表表示キーを介して第２の番組表の表示指示を受け付けると、第２の番組表を表示する。
【０００７】
上記のように、第１の番組表と第２の番組表との表示制御には関連性が無く、第１の番組表を表示するためには、第１の番組表表示キーを介した操作が必要であり、第２の番組表を表示するためには、第２の番組表表示キーを介した操作が必要であり、不便であった。
【０００８】
つまり、上記した高機能デジタルテレビ受信機は、適切に複数の番組表の切り換え表示ができず不便であるという課題があった。
【０００９】
本発明の目的は、複数の番組表の切り換え表示制御に優れた番組情報出力制御装置及び番組情報出力制御方法を提供することにある。
【課題を解決するための手段】
【００１０】
実施形態の番組情報出力制御装置は、検出手段と、指示手段と、出力制御手段とを備える。検出手段は、動作状態を検出する。指示手段は、番組表出力を指示する。出力制御手段は、前記動作状態の検出結果及び前記番組表出力の指示に応じて、チャンネル軸と時間軸に沿って複数チャンネルに対応した複数放送番組を表示する第１の番組表を表示するための第１の表示情報、及び前記チャンネル軸と前記時間軸に沿って前記複数チャンネルに対応した複数記録番組を表示する第２の番組表を表示するための第２の表示情報のいずれか一方の表示情報を出力するように制御する。
【図面の簡単な説明】
【００１１】
【図１】第１〜第５の実施形態に共通のデジタル放送受信装置（番組情報出力制御装置）の構成の一例を示す図である。
【図２】第１〜第５の実施形態に共通のデジタル放送受信装置のＴＳ受信処理モジュールの構成の一例を示す図である。
【図３】第１の番組表及び第２の番組表（第１例）を示す図である。
【図４】第１の番組表及び第２の番組表（第２例）を示す図である。
【図５】第１又は第２の番組表を切り換え表示する第１の表示制御の一例を示すフローチャートである。
【図６】第１又は第２の番組表を切り換え表示する第３の表示制御の一例を示すフローチャートである。
【図７】第１又は第２の番組表を切り換え表示する第５の表示制御の一例を示すフローチャートである。
【発明を実施するための形態】
【００１２】
以下、第１〜第５の実施形態について図面を参照して説明する。
【００１３】
図１は、第１〜第５の実施形態に共通のデジタル放送受信装置（番組情報出力制御装置）の構成の一例を示す図である。第１〜第５の実施形態では、デジタル放送受信装置による番組表の切り換え表示制御について説明する。しかしながら、本発明は、デジタル放送受信装置による記録再生制御に限定されるものではない。例えば、ＨＤＤレコーダ、ＢＤ（Blu-ray）（登録商標）レコーダ、及びＤＶＤレコーダ等の番組記録装置により以下説明する番組表の切り換え表示制御を実現することも可能である。
【００１４】
図１に示すように、例えば、デジタル放送受信装置１０は、記録再生モジュール１１及び表示部１２により構成されている。なお、上記した番組記録装置は、記録再生モジュール１１により構成されるが、表示部１２を持たない点で、デジタル放送受信装置１０と異なる。記録再生モジュール１１が、以下説明する番組表の切り換え表示制御を実行する。
【００１５】
例えば、記録再生モジュール１１は、記録再生制御モジュール１１１、ＴＳ受信処理モジュール１１２、信号選択モジュール１１３、ＡＶデコードモジュール１１４、表示処理モジュール１１５、記録モジュール１１６〜１１９、ＣＡＳ制御モジュール１２０、番組データベース処理モジュール１２１、操作入力部１２２、信号受信部１２３、視聴制御モジュール１２４、メモリ１２５、表示制御モジュール１２６を備える。
【００１６】
また、図２に示すように、例えば、ＴＳ受信処理モジュール１１２は、チューナ１１２１ａ、ＴＳ分離モジュール１１２１ｂ、デスクランブルモジュール１１２１ｃ、チューナ１１２２ａ、ＴＳ分離モジュール１１２２ｂ、デスクランブルモジュール１１２２ｃ、チューナ１１２３ａ、ＴＳ分離モジュール１１２３ｂ、デスクランブルモジュール１１２３ｃ、チューナ１１２４ａ、ＴＳ分離モジュール１１２４ｂ、デスクランブルモジュール１１２４ｃを備える。
【００１７】
チューナ１１２１ａは、放送番組（コンテンツ）の信号を受信し、放送番組の信号をＴＳ分離モジュール１１２１ｂへ送信する。ＴＳ分離モジュール１１２１ｂは、放送番組の信号から番組情報（ＥＣＭ）を分離する。この分離されたＥＣＭは、ＣＡＳ制御モジュール１２０を介して、カードスロット（カードインターフェースＩ／Ｆ）に装着されたＣＡＳカード（ＩＣカード）１４１又は１４２に転送される。ＣＡＳカード１４１又は１４２の中では、記憶されているワーク鍵（Ｋｗ）を用いてＥＣＭの暗号が復号されスクランブル鍵（Ｋｓ）が得られる。さらに、ＥＣＭから番組に関する属性情報が得られ、ＣＡＳカード１４１又は１４２に記憶されている契約情報と比較してデスクランブルを行うか否かが判定される。この判定を行う際に、番組の属性情報で指定される課金方式に基づいて制御が行われる。なお、暗号鍵ＫｓとＫｗは放送事業者毎に異なるが、全受信機で共通な鍵である。
【００１８】
チューナ１１２２ａ、１１２３ａ、１１２４ａ、ＴＳ分離モジュール１１２２ｂ、１１２３ｂ、１１２４ｂの動作は、基本的にチューナ１１２１ａ、ＴＳ分離モジュール１１２１ｂの動作と同じであり、これらの動作の詳細説明は省略する。
【００１９】
例えば、ＣＡＳ制御モジュール１２０は、ＴＳ分離モジュール１１２１ｂから送られてきたＥＣＭをＣＡＳカード１４１又は１４２へ送り、ＣＡＳカード１４１又は１４２から応答されたスクランブル鍵Ｋｓをデスクランブルモジュール１１２１ｃに設定する。同様に、ＣＡＳ制御モジュール１２０は、ＴＳ分離モジュール１１２２ｂから送られてきたＥＣＭをＣＡＳカード１４１又は１４２へ送り、ＣＡＳカード１４１又は１４２から応答されたスクランブル鍵Ｋｓをデスクランブルモジュール１１２２ｃに設定する。同様に、ＣＡＳ制御モジュール１２０は、ＴＳ分離モジュール１１２３ｂから送られてきたＥＣＭをＣＡＳカード１４１又は１４２へ送り、ＣＡＳカード１４１又は１４２から応答されたスクランブル鍵Ｋｓをデスクランブルモジュール１１２３ｃに設定する。同様に、ＣＡＳ制御モジュール１２０は、ＴＳ分離モジュール１１２４ｂから送られてきたＥＣＭをＣＡＳカード１４１又は１４２へ送り、ＣＡＳカード１４１又は１４２から応答されたスクランブル鍵Ｋｓをデスクランブルモジュール１１２４ｃに設定する。
【００２０】
デスクランブルモジュール１１２１ｃ〜１１２４ｃは、設定されたスクランブル鍵Ｋｓを用いて暗号化された放送番組をデスクランブルし、デスクランブルされた放送番組の信号を記録再生制御モジュール１１１に出力する。記録再生制御モジュール１１１は、放送番組の信号を記録モジュール１１６〜１１９の何れかの記録モジュールに記録したり、信号選択モジュール１１３へ出力したりする。
【００２１】
例えば、記録モジュール１１６〜１１９は、ＨＤＤ、光ディスクディスクドライブ、ＳＤ（登録商標）カードリーダライタであり、記録再生制御モジュール１０９からの放送番組の信号を記録可能に構成されている。なお、記録モジュール１１６〜１１９は、デジタル放送受信装置１０に対して接続される外部機器であってもよい。この場合、記録再生制御モジュール１１１からの出力は、ＩＥＥＥ１３９４インターフェース又はＨＤＭＩ（High-Definition Multimedia Interface）インターフェースなどを介して、記録モジュール１１６〜１１９へ転送されることになる。
【００２２】
信号選択モジュール１１３は、ユーザからのチャンネル選択（チャンネル指定）に対応して、選択チャンネルの番組放送の信号を選択し、ＡＶデコードモジュール１１４へ出力する。ＡＶデコードモジュール１０５は、放送番組の信号をＡＶ情報（映像および音声）へデコードし出力する。デコード出力（映像）は、表示処理モジュール１０６を介して、表示部１２へ出力される。表示処理モジュール１１５は、ＯＳＤ（On Screen Display）等によりユーザへの情報を提示するための、ＧＵＩ（Graphical User Interface）機能を備える。このＧＵＩ機能により、各種設定画面等を表示部１２に表示することができる。また、このＧＵＩ機能により、第１の番組表（図３に示す現在番組表）又は第２の番組表（図３に示す過去番組表）を表示部１２に表示することができる。第１及び第２の番組表については後に詳しく説明する。
【００２３】
デジタル放送受信装置１０は、放送信号から第１又は第２の番組表を表示するための番組表情報を取得する。或いは、デジタル放送受信装置１０は、ネットワーク経由で番組表情報を取得する。番組データベース処理モジュール１２１は、取得された番組表情報を記憶し、記憶した番組表情報に基づき第１又は第２の番組表を生成することができる。例えば、表示制御モジュール１２６は、生成された第１又は第２の番組表を表示するように、表示処理モジュール１１５を制御する。上記したように、表示処理モジュール１１５は、ＧＵＩ機能により、第１又は第２の番組表を表示部１２に表示することができる。
【００２４】
操作入力部１２２は、複数のキーを備え、これら複数キーの何れかのキーを介して、ユーザからの操作入力（指示）を受け付け、受け付けた指示を記録再生制御モジュール１１１、視聴制御モジュール１２４、又は表示制御モジュール１２６等へ通知する。同様に、リモートコントローラ（ＲＣ）１３０は、複数のキーを備え、これら複数のキーの何れかのキーを介して、ユーザからの操作入力（指示）を受け付け、受け付けた指示を信号受信部１２３へ送信する。信号受信部１２３は、受信した指示を記録再生制御モジュール１１１、視聴制御モジュール１２４、又は表示制御モジュール１２６等へ通知する。
【００２５】
本実施形態では、リモートコントローラ１３０を介した操作例について説明する。操作入力部１２２を介した操作例は、リモートコントローラ１３０を介した操作例と実質的に同一であるため、省略する。
【００２６】
例えば、リモートコントローラ１３０は、チャンネルキーを介して、ユーザからのチャンネル選択の指示を受け付け、信号受信部１２３に対して、このチャンネル選択の指示を送信する。信号受信部１２３は、チャンネル選択の指示を、視聴制御モジュール１２４に通知し、視聴制御モジュール１２４は、チャンネル選択の指示に基づき、信号選択モジュール１１３を制御する。これにより、信号選択モジュール１１３は、チャンネル選択の指示に対応して、所定のチャンネルの番組放送の信号を選択し、その結果、表示部１２には、所定のチャンネルの番組放送の映像が表示される。
【００２７】
また、リモートコントローラ１３０は、番組表表示キーを介して、ユーザからの番組表表示の指示を受け付け、信号受信部１２３に対して、この番組表表示の指示を送信する。信号受信部１２３は、番組表表示の指示を、表示制御モジュール１２６に通知し、表示制御制御モジュール１２６は、番組表表示の指示に基づき、後述する第１又は第２の番組表の表示を制御し、これに対応して、表示処理モジュール１１５は、第１又は第２の番組表を出力し、表示部１２は、第１又は第２の番組表を表示する。
【００２８】
次に、番組の記録について説明する。上記説明したように、デジタル放送受信装置１０は、複数のチューナを備えている。これにより、デジタル放送受信装置１０は、複数チャンネルの番組を同時に記録することができる。図２では、４チューナを備えたデジタル放送受信装置１０が示されているが、本実施形態はこれに限定されるものではない。以下、デジタル放送受信装置１０が、７チューナを備えるケースを想定する。つまり、デジタル放送受信装置１０が、７チャンネルの番組を同時に記録することができるケースについて説明する。
【００２９】
例えば、リモートコントローラ１３０等を介して、チャンネル１０１〜１０７に対して自動番組記録が設定されているケースについて説明する。例えば、チャンネル１０１〜１０７に対して全日（２４時間）の自動番組記録が設定されると、記録再生制御モジュール１１１は、全日、チャンネル１０１〜１０７の全番組を記録するように制御し、記録モジュール１１６〜１１９は、全日、チャンネル１０１〜１０７の全番組を記録する。なお、記録モジュール１１６〜１１９の記憶容量は有限であるため、記録するビットレートによって記録時間が決まる（記録容量／（記録するビットレート×チャンネル数）。例えば、記録再生制御モジュール１１１は、各チャンネルの番組を最大２４時間分（つまり２４時間×７チャンネル＝１６８時間）を蓄積するように制御し、各チャンネルの最新の番組が最大で２４時間分蓄積される。
【００３０】
また、チャンネル１０１〜１０７に対して１９:００〜２２：００（３時間）の自動番組記録が設定されると、記録再生制御モジュール１１１は、１９:００〜２２：００の間、チャンネル１０１〜１０７の全番組を記録するように制御し、記録モジュール１１６〜１１９は、１９:００〜２２：００の間、チャンネル１０１〜１０７の全番組を記録する。この場合も、例えば、記録再生制御モジュール１１１は、各チャンネルの番組を最大２４時間分（つまり２４時間×７チャンネル＝１６８時間）を蓄積するように制御し、各チャンネルの記録された番組のうちの最新の番組が最大で２４時間分蓄積される。
【００３１】
また、デジタル放送受信装置１０は、上記した自動番組記録だけでなく、指定番組記録も可能である。例えば、記録再生制御モジュール１１１は、表示部１２に表示された第１の番組表の中から選択された番組の記録予約を受け付け、選択された番組を記録することもできる。このように、第１の番組表を介して指定された番組を記録する処理を、指定番組記録と呼ぶ。
【００３２】
デジタル放送受信装置１０は、上記した自動番組記録により記録された番組を第２の番組表により一覧表示することができる。また、デジタル放送受信装置１０は、上記した指定番組記録により記録された番組を第２の番組表により一覧表示することもできる。また、また、デジタル放送受信装置１０は、上記した自動番組記録及び指定番組記録により記録された番組を第２の番組表により一覧表示することもできる。本実施形態では、自動番組記録により記録された番組を第２の番組表により一覧表示するケースについて詳細に説明する。
【００３３】
図３は、第１の番組表（現在番組表）及び第２の番組表（過去番組表）の一例を示す図である。
【００３４】
第１の番組表は、チャンネル軸（例えばチャンネル１０１〜１０７のチャンネル軸）と時間軸（例えば１９：００〜０：００の時間軸）に沿って複数チャンネル（例えばチャンネル１０１〜１０７）に対応した複数放送番組（Ｐ１０８６〜Ｐ１０９１、Ｐ２０８６〜Ｐ２０９１、Ｐ３０８６〜Ｐ３０９１、Ｐ４０８６〜Ｐ４０９１、Ｐ５０８６〜Ｐ５０９１、Ｐ６０８６〜Ｐ６０９１、Ｐ７０８６〜Ｐ７０９１）を表示するものである。つまり、第１の番組表は、複数放送番組に対応した複数放送番組セルを含む。
【００３５】
図３に示す第１の番組表は、例えば、複数の放送中番組（Ｐ１０８６、Ｐ２０８６、Ｐ３０８６、Ｐ４０８６、Ｐ５０８６、Ｐ６０８６、Ｐ７０８６）をトップに表示し、複数の放送中番組の後段に複数の放送予定番組（Ｐ１０８７〜Ｐ１０９１、Ｐ２０８７〜Ｐ２０９１、Ｐ３０８７〜Ｐ３０９１、Ｐ４０８７〜Ｐ４０９１、Ｐ５０８７〜Ｐ５０９１、Ｐ６０８７〜Ｐ６０９１、Ｐ７０８７〜Ｐ７０９１）を表示するものである。
【００３６】
一方の第２の番組表は、チャンネル軸（例えばチャンネル１０１〜１０７のチャンネル軸）と時間軸（例えば１４：００〜１９：００の時間軸）に沿って複数チャンネル（例えばチャンネル１０１〜１０７）に対応した複数記録番組（Ｐ１０８１〜Ｐ１０８５、Ｐ２０８１〜Ｐ２０８５、Ｐ３０８１〜Ｐ３０８５、Ｐ４０８１〜Ｐ４０８５、Ｐ５０８１〜Ｐ５０８５、Ｐ６０８１〜Ｐ６０８５、Ｐ７０８１〜Ｐ７０８５）及び複数の放送中番組（Ｐ１０８６、Ｐ２０８６、Ｐ３０８６、Ｐ４０８６、Ｐ５０８６、Ｐ６０８６、Ｐ７０８６）を表示するものである。つまり、第２の番組表は、複数放送番組（複数の放送中番組）に対応した複数放送番組セル（複数の放送中番組セル）及び複数記録番組に対応した複数記録番組セルを含む。
【００３７】
図３に示す第２の番組表は、例えば、複数の放送中番組（Ｐ１０８６、Ｐ２０８６、Ｐ３０８６、Ｐ４０８６、Ｐ５０８６、Ｐ６０８６、Ｐ７０８６）をボトムに表示し、複数の放送中番組の上段に複数記録番組（Ｐ１０８１〜Ｐ１０８５、Ｐ２０８１〜Ｐ２０８５、Ｐ３０８１〜Ｐ３０８５、Ｐ４０８１〜Ｐ４０８５、Ｐ５０８１〜Ｐ５０８５、Ｐ６０８１〜Ｐ６０８５、Ｐ７０８１〜Ｐ７０８５）を表示するものである。
【００３８】
なお、第２の番組表示は、複数記録番組を含み、複数の放送中番組を含まないように構成することもできる。
【００３９】
上記した第１の番組表は、チャンネルを選択するためのものであり、第２の番組表は、記録番組を選択するためのものである。つまり、第１の番組表は、チャンネルを選局するために使用することができ、第２の番組表は、記録番組を再生するために使用することができる。例えば、リモートコントローラ１３０の方向キーが押下され、第１の番組表上の所定の放送番組セルにカーソルをフォーカスさせ、さらに、リモートコントローラ１３０の決定ボタンが押下されると、所定の放送番組セルに対応したチャンネルを選局することができる。また、リモートコントローラ１３０の方向キーが押下され、第２の番組表上の所定の記録番組セルにカーソルをフォーカスさせ、さらに、リモートコントローラ１３０の決定ボタンが押下されると、所定の記録番組セルに対応した記録番組を再生することができる。
【００４０】
（第１の実施形態）
次に、第１又は第２の番組表を切り換え表示する第１の表示制御の一例について説明する。図５は、第１又は第２の番組表を切り換え表示する第１の表示制御の一例を示すフローチャートである。
【００４１】
例えば、デジタル放送受信装置１０の視聴制御モジュール１２４が、チャンネル１０４の放送中番組Ｐ４０８６の視聴を制御している状態（ライブ視聴状態）、つまり、表示部１２が、放送中番組Ｐ４０８６の映像を表示している状態で、リモートコントローラ１３０の番組表表示キーが押下された場合は（ＳＴ１００、ＹＥＳ）、表示制御モジュール１２６は、第１の番組表の表示を制御し、これにより、表示部１２は、図３に示すような第１の番組表（現在番組表）を表示する（ＳＴ１０１）。例えば、第１の番組表において、放送中番組（視聴中番組）Ｐ４０８６のセルにフォーカスしたカーソルが表示される。
【００４２】
第１の番組表が表示された状態で、リモートコントローラ１３０が、方向キー（上下左右の４方向の指定キー）等を介して、ユーザからのカーソル移動の指示を受け付けると、信号受信部１２３に対して、カーソル移動の指示を送信する。信号受信部１２３は、カーソル移動の指示を、表示制御モジュール１２６に通知し、表示制御制御モジュール１２６は、カーソル移動の指示に基づき、第１の番組表の表示を制御し、これに対応して、表示処理モジュール１１５は、放送中番組Ｐ４０８６のセル上にカーソルが表示された第１の番組表の出力を、例えば放送中番組Ｐ３０８６のセル上にカーソルが表示された第１の番組表の出力へ切り換える。
【００４３】
さらに、リモートコントローラ１３０が、決定キー等を介して、ユーザからの決定の指示を受け付けると（ＳＴ１０３、ＹＥＳ）、信号受信部１２３に対して、決定の指示を送信する。信号受信部１２３は、決定の指示を、視聴制御モジュール１２４に通知し、視聴制御モジュール１２４は、決定の指示に基づき、例えば、放送中番組Ｐ３０８６の視聴を制御する。これに対応して、信号選択モジュール１１３は、チャンネル１０３の信号を選択し（ＳＴ１０４）、表示部１２は、チャンネル１０３の放送中番組Ｐ３０８６の映像を表示する。
【００４４】
第１の番組表が表示された状態で、リモートコントローラ１３０の番組表表示キー又は終了キーが押下された場合は（ＳＴ１０５、ＹＥＳ）、視聴制御モジュール１２４は、例えば、放送中番組Ｐ４０８６（第１の番組表が表示される前に視聴していた番組（ラストチャンネル））の視聴を制御する。これに対応して、信号選択モジュール１１３は、チャンネル１０４の信号を選択し（ＳＴ１０６）、表示部１２は、チャンネル１０４の放送中番組Ｐ４０８６の映像を表示する。
【００４５】
また、例えば、デジタル放送受信装置１０の記録再生制御モジュール１１１及び視聴制御モジュール１２４が、記録番組Ｐ４０８５を再生している状態、つまり、表示部１２が、記録番組Ｐ４０８５の映像を表示している状態で、リモートコントローラ１３０の番組表表示キーが押下された場合は（ＳＴ１００、ＮＯ）、表示制御モジュール１２６は、第２の番組表の表示を制御し、これにより、表示部１２は、図３に示すような第２の番組表（過去番組表）を表示する（ＳＴ１１１）。例えば、第２の番組表において、再生中の記録番組Ｐ４０８５のセルにフォーカスしたカーソルが表示される。
【００４６】
第２の番組表が表示された状態で、リモートコントローラ１３０が、方向キー（上下左右の４方向の指定キー）等を介して、ユーザからのカーソル移動の指示を受け付けると、信号受信部１２３に対して、カーソル移動の指示を送信する。信号受信部１２３は、カーソル移動の指示を、表示制御モジュール１２６に通知し、表示制御制御モジュール１２６は、カーソル移動の指示に基づき、第２の番組表の表示を制御し、これに対応して、表示処理モジュール１１５は、再生中の記録番組Ｐ４０８５のセル上にカーソルが表示された第２の番組表の出力を、例えば記録番組Ｐ３０８５のセル上にカーソルが表示された第２の番組表の出力へ切り換える。
【００４７】
さらに、リモートコントローラ１３０が、決定キー等を介して、ユーザからの決定の指示を受け付けると（ＳＴ１１３、ＹＥＳ）、信号受信部１２３に対して、決定の指示を送信する。信号受信部１２３は、決定の指示を、記録再生制御モジュール１１１及び視聴制御モジュール１２４に通知し、記録再生制御モジュール１１１及び視聴制御モジュール１２４は、決定の指示に基づき、例えば、記録番組Ｐ３０８５の再生を制御する。これに対応して、信号選択モジュール１１３は、記録番組Ｐ３０８５の再生信号を選択し（ＳＴ１１４）、表示部１２は、記録番組Ｐ３０８５の映像を表示する。
【００４８】
第２の番組表が表示された状態で、リモートコントローラ１３０の番組表表示キー又は終了キーが押下された場合は（ＳＴ１１５、ＹＥＳ）、記録再生制御モジュール１１１及び視聴制御モジュール１２４は、例えば、記録番組Ｐ４０８５（第２の番組表が表示される前に再生していた番組（ラストコンテンツ））の再生を制御する。これに対応して、信号選択モジュール１１３は、記録番組Ｐ４０８５の再生信号を選択し（ＳＴ１１６）、表示部１２は、記録番組Ｐ４０８５の映像を表示する。
【００４９】
つまり、上記したように、デジタル放送受信装置１０の記録再生制御モジュール１１１及び視聴制御モジュール１２４が、放送中番組を視聴（出力）している第１の状態又は記録番組を再生（出力）している第２の状態を検出し、表示制御モジュール１２６が、状態検出結果及び番組表表示の指示に応じて、第１又は第２の番組表の表示（出力）を制御する。即ち、表示制御モジュール１２６は、第１の状態であれば、第１の番組表の表示（出力）を制御し、第２の状態であれば、第２の番組表の表示（出力）を制御する。
【００５０】
なお、自動番組記録が動作（機能）していることを条件として、表示制御モジュール１２６が、状態検出結果及び番組表表示の指示に応じて、第１又は第２の番組表の表示（出力）を制御してもよい。つまり、自動番組記録が停止している場合には、番組表表示の指示に応じて、第１の番組表は表示されるが、第２の番組表は表示されない。
【００５１】
以上により、ユーザのニーズに合った第１の番組表と第２の番組表との切り換え表示が可能となる。
【００５２】
（第２の実施形態）
次に、第１又は第２の番組表を切り換え表示する第２の表示制御の一例について説明する。
【００５３】
例えば、デジタル放送受信装置１０のメモリ１２５は、第１及び第２の番組表の表示履歴（出力履歴）を記憶し、表示制御モジュール１２６は、表示履歴に基づき第１又は第２の番組表の表示（出力）を制御する。
【００５４】
例えば、前回（直前に）、第１の番組表が表示されている場合に、番組表表示キーにより番組表表示が指示されると、表示制御モジュール１２６は、第１の番組表の表示（出力）を制御する。逆に、前回（直前に）、第２の番組表が表示されている場合に、番組表表示キーにより番組表表示が指示されると、表示制御モジュール１２６は、第２の番組表の表示（出力）を制御する。
【００５５】
さらに、第１の実施形態で説明した第１の表示制御と、この第１の実施形態で説明した第１の表示制御とを組み合わせることもできる。
【００５６】
例えば、放送中番組の視聴中が検出された第１の状態で番組表表示キーにより番組表表示が指示された場合には、表示制御モジュール１２６は、第１の番組表の表示を制御する。また、記録番組の再生中が検出された第２の状態で番組表表示キーにより番組表表示が指示された場合には、表示制御モジュール１２６は、第２の番組表の表示を制御する。また、放送中番組の視聴中でなく、記録番組の再生中でもない第３の状態で、番組表表示キーにより番組表表示が指示された場合、表示制御モジュール１２６は、表示履歴に基づき第１又は第２の番組表の表示を制御する。
【００５７】
第３の状態とは、例えば、デジタル放送受信装置１０のネットワーク機能により、インターネット上のサイトの映像を再生している状態である。或いは、デジタル放送受信装置１０のパッケージメディアの再生機能により、パッケージメディアの映像を再生している状態である。
【００５８】
以上により、ユーザのニーズに合った第１の番組表と第２の番組表との切り換え表示が可能となる。
【００５９】
（第３の実施形態）
次に、第１又は第２の番組表を切り換え表示する第３の表示制御の一例について説明する。図６は、第１又は第２の番組表を切り換え表示する第３の表示制御の一例を示すフローチャートである。
【００６０】
例えば、デジタル放送受信装置１０の表示部１２が、図３に示す第１の番組表を表示（出力）した第１の状態で（ＳＴ２０１）、リモートコントローラ１３０が、方向キー（上下左右の４方向の指定キー）又はページアップキー等を介して、カーソルの過去の時間方向への移動の指示又はページアップの指示を受け付けると（ＳＴ２０２、ＹＥＳ）、表示制御モジュール１２６は、図３に示す第１の番組表の表示（出力）を図３に示す第２の番組表の表示（出力）へ切り換え、表示部１２は第２の番組表を表示する（ＳＴ２１１）。第１の状態とは、例えば、第１の番組表の中の所定放送中番組セル（Ｐ４０８６）にカーソルがフォーカスした状態である。
【００６１】
なお、ＳＴ２０３〜ＳＴ２０６は、上記説明したＳＴ１０３〜ＳＴ１０６に対応するため、説明は省略する。
【００６２】
また、この第３の実施形態では、第２の番組表が複数の放送中番組を含むケースについて説明した。よって、表示切り換え前の第１の番組表においては所定放送中番組セル（Ｐ４０８６）にカーソルがフォーカスし、表示切り換え後の第２の番組表においても所定放送中番組セル（Ｐ４０８６）にカーソルがフォーカスする。
【００６３】
例えば、第２の番組表が複数の放送中番組を含まないケースであれば、表示切り換え前の第１の番組表においては所定放送中番組セル（Ｐ４０８６）にカーソルがフォーカスし、表示切り換え後の第２の番組表においては所定放送中番組セル（Ｐ４０８６）に時間的に最も近い所定記録番組セル（Ｐ４０８５）にカーソルがフォーカスする。言い換えれば、表示切り換え後の第２の番組表を構成する複数記録番組セルの中の最も新しい時間帯の所定記録番組セル（Ｐ４０８５）にカーソルがフォーカスする。
【００６４】
或いは、第２の番組表が複数の放送中番組を含んでいても、上記したように、表示切り換え前の第１の番組表においては所定放送中番組セル（Ｐ４０８６）にカーソルがフォーカスし、表示切り換え後の第２の番組表においては所定放送中番組セル（Ｐ４０８６）に時間的に最も近い所定記録番組セル（Ｐ４０８５）にカーソルがフォーカスしてもよい。
【００６５】
また、例えば、デジタル放送受信装置１０の表示部１２が、図３に示す第２の番組表を表示（出力）した第２の状態で（ＳＴ２１１）、リモートコントローラ１３０が、方向キー（上下左右の４方向の指定キー）又はページダウンキー等を介して、カーソルの未来の時間方向への移動の指示又はページダウンの指示を受け付けると（ＳＴ２１２、ＹＥＳ）、表示制御モジュール１２６は、図３に示す第２の番組表の表示（出力）を図３に示す第１の番組表の表示（出力）へ切り換え、表示部１２は第１の番組表を表示する（ＳＴ２０１）。第２の状態とは、例えば、第２の番組表の中の所定放送中番組セル（Ｐ４０８６）にカーソルがフォーカスした状態である。
【００６６】
なお、ＳＴ２１３〜ＳＴ２１６は、上記説明したＳＴ１１３〜ＳＴ１１６に対応するため、説明は省略する。
【００６７】
また、この第３の実施形態では、第２の番組表が複数の放送中番組を含むケースについて説明した。よって、表示切り換え前の第２の番組表においては所定放送中番組セル（Ｐ４０８６）にカーソルがフォーカスし、表示切り換え後の第１の番組表においても所定放送中番組セル（Ｐ４０８６）にカーソルがフォーカスする。
【００６８】
例えば、第２の番組表が複数の放送中番組を含まないケースであれば、表示切り換え前の第２の番組表においては所定記録番組セル（Ｐ４０８５）にカーソルがフォーカスし、表示切り換え後の第１の番組表においては所定放送中番組セル（Ｐ４０８６）にカーソルがフォーカスする。
【００６９】
以上により、ユーザのニーズに合った第１の番組表と第２の番組表との切り換え表示が可能となる。
【００７０】
（第４の実施形態）
次に、第１又は第２の番組表を切り換え表示する第４の表示制御の一例について説明する。第３の表示制御では、全日（２４時間）の自動番組記録を前提として説明した。ここで説明する第４の表示制御では、例えば、１９:００〜２２：００（３時間）の自動番組記録を前提として説明する。
【００７１】
例えば、デジタル放送受信装置１０の表示部１２が、図４に示す第１の番組表を表示（出力）した第１の状態で、リモートコントローラ１３０が、方向キー（上下左右の４方向の指定キー）又はページアップキー等を介して、カーソルの過去の時間方向への移動の指示又はページアップの指示を受け付けると（ＳＴ２０２、ＹＥＳ）、表示制御モジュール１２６は、図４に示す第１の番組表の表示（出力）を図４に示す第２の番組表の表示（出力）へ切り換え、表示部１２は第２の番組表を表示する。第１の状態とは、例えば、第１の番組表の中の所定放送中番組セルにカーソルがフォーカスした状態である。
【００７２】
また、この第４の実施形態では、第２の番組表が複数の放送中番組を含むケースについて説明した。よって、表示切り換え前の第１の番組表においては所定放送中番組セル（Ｐ４０８６）にカーソルがフォーカスし、表示切り換え後の第２の番組表においても所定放送中番組セル（Ｐ４０８６）にカーソルがフォーカスする。
【００７３】
例えば、第２の番組表が複数の放送中番組を含まないケースであれば、表示切り換え前の第１の番組表においては所定放送中番組セル（Ｐ４０８６）にカーソルがフォーカスし、表示切り換え後の第２の番組表においては所定放送中番組セル（Ｐ４０８６）に時間的に最も近い所定記録番組セル（Ｐ４０６８）にカーソルがフォーカスする。言い換えれば、表示切り換え後の第２の番組表を構成する複数記録番組セルの中の最も新しい時間帯の所定記録番組セル（Ｐ４０６８）にカーソルがフォーカスする。
【００７４】
或いは、第２の番組表が複数の放送中番組を含んでいても、上記したように、表示切り換え前の第１の番組表においては所定放送中番組セル（Ｐ４０８６）にカーソルがフォーカスし、表示切り換え後の第２の番組表においては所定放送中番組セル（Ｐ４０８６）に時間的に最も近い所定記録番組セル（Ｐ４０６８）にカーソルがフォーカスしてもよい。
【００７５】
また、例えば、デジタル放送受信装置１０の表示部１２が、図４に示す第２の番組表を表示（出力）した第２の状態で、リモートコントローラ１３０が、方向キー（上下左右の４方向の指定キー）又はページダウンキー等を介して、カーソルの未来の時間方向への移動の指示又はページダウンの指示を受け付けると、表示制御モジュール１２６は、図４に示す第２の番組表の表示（出力）を図４に示す第１の番組表の表示（出力）へ切り換え、表示部１２は第１の番組表を表示する。第２の状態とは、例えば、第２の番組表の中の放送中番組セル（Ｐ４０８６）にカーソルがフォーカスした状態である。
【００７６】
また、この第４の実施形態では、第２の番組表が複数の放送中番組を含むケースについて説明した。よって、表示切り換え前の第２の番組表においては所定放送中番組セル（Ｐ４０８６）にカーソルがフォーカスし、表示切り換え後の第１の番組表においても所定放送中番組セル（Ｐ４０８６）にカーソルがフォーカスする。
【００７７】
例えば、第２の番組表が複数の放送中番組を含まないケースであれば、表示切り換え前の第２の番組表においては所定記録番組セル（Ｐ４０６８）にカーソルがフォーカスし、表示切り換え後の第１の番組表においては所定放送中番組セル（Ｐ４０８６）にカーソルがフォーカスする。
【００７８】
以上により、ユーザのニーズに合った第１の番組表と第２の番組表との切り換え表示が可能となる。
【００７９】
（第５の実施形態）
次に、第１又は第２の番組表を切り換え表示する第５の表示制御の一例について説明する。図７は、第１又は第２の番組表を切り換え表示する第５の表示制御の一例を示すフローチャートである。
【００８０】
例えば、デジタル放送受信装置１０の視聴制御モジュール１２４が、チャンネル１０４の放送中番組Ｐ４０８６の視聴を制御している状態（ライブ視聴状態）、つまり、表示部１２が、放送中番組Ｐ４０８６の映像を表示している状態で、リモートコントローラ１３０の番組表表示キーが押下された場合は（ＳＴ３００、ＹＥＳ）、表示制御モジュール１２６は、第１の番組表の表示を制御し、これにより、表示部１２は、図３に示すような第１の番組表（現在番組表）を表示する（ＳＴ３０１）。
【００８１】
また、例えば、デジタル放送受信装置１０の記録再生制御モジュール１１１及び視聴制御モジュール１２４が、記録番組Ｐ４０８５を再生している状態、つまり、表示部１２が、記録番組Ｐ４０８５の映像を表示している状態で、リモートコントローラ１３０の番組表表示キーが押下された場合は（ＳＴ３００、ＮＯ）、表示制御モジュール１２６は、第２の番組表の表示を制御し、これにより、表示部１２は、図３に示すような第２の番組表（過去番組表）を表示する（ＳＴ３１１）。
【００８２】
例えば、デジタル放送受信装置１０の表示部１２が、図３に示す第１の番組表を表示（出力）した第１の状態で（ＳＴ３０１）、リモートコントローラ１３０が、方向キー（上下左右の４方向の指定キー）又はページアップキー等を介して、カーソルの過去の時間方向への移動の指示又はページアップの指示を受け付けると（ＳＴ３０２、ＹＥＳ）、表示制御モジュール１２６は、図３に示す第１の番組表の表示（出力）を図３に示す第２の番組表の表示（出力）へ切り換え、表示部１２は第２の番組表を表示する（ＳＴ３１１）。
【００８３】
なお、ＳＴ３０３〜ＳＴ３０６は、上記説明したＳＴ１０３〜ＳＴ１０６に対応するため、説明は省略する。
【００８４】
また、例えば、デジタル放送受信装置１０の表示部１２が、図３に示す第２の番組表を表示（出力）した第２の状態で（ＳＴ３１１）、リモートコントローラ１３０が、方向キー（上下左右の４方向の指定キー）又はページダウンキー等を介して、カーソルの未来の時間方向への移動の指示又はページダウンの指示を受け付けると（ＳＴ３１２、ＹＥＳ）、表示制御モジュール１２６は、図３に示す第２の番組表の表示（出力）を図３に示す第１の番組表の表示（出力）へ切り換え、表示部１２は第１の番組表を表示する（ＳＴ３０１）。  なお、ＳＴ３１３〜ＳＴ３１６は、上記説明したＳＴ１１３〜ＳＴ１１６に対応するため、説明は省略する。
【００８５】
なお、上記したモジュールとは、ハードウェアで実現するものであっても良いし、ＣＰＵ等を使ってソフトウェアで実現するものであってもよい。
【００８６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８７】
１０…デジタル放送受信装置、１１…記録再生モジュール、１２…表示部、１１１…記録再生制御モジュール、１１２…ＴＳ受信処理モジュール、１１３…信号選択モジュール、１１４…ＡＶデコードモジュール、１１５…表示処理モジュール、１１６〜１１９…記録モジュール、１２０…ＣＡＳ制御モジュール、１２１…番組データベース処理モジュール、１２２…操作入力部、１２３…信号受信部、１２４…視聴制御モジュール、１２５…メモリ、１２６…表示制御モジュール
【図１】
2012015796.tif 000003
【図２】
2012015796.tif 000004
【図３】
2012015796.tif 000005
【図４】
2012015796.tif 000006
【図５】
2012015796.tif 000007
【図６】
2012015796.tif 000008
【図７】
2012015796.tif 000009